(57)【要約】【課題】フック棒への商品の差し込みと抜き出しを容易に行うことができ、アーム部材の先端部に取り付けたカードホルダーの向きを、容易に変えることができる商品陳列フックを提供する。【解決手段】陳列棚の棚板４０のレール部４１に前方に突出して装着される商品陳列フックである。レール部４１に装着される装着部５の前面にフック棒４を前方に向けて水平に突設したフック本体１と、フック棒４の上方に配設されフック本体１の装着部５にフック棒４の軸と垂直な軸の周りで回動可能に枢支されたアーム部材２と、アーム部材２の先端部に回動可能に取り付けられたカードホルダー３と、を備える。アーム部材２の元部に枢支部２２が設けられ、枢支部２２を介してアーム部材２が上下方向に回動可能にフック本体１の装着部５に枢支される。【選択図】図１
2004180918.tif 000002
【特許請求の範囲】
【請求項１】
陳列棚の棚板のレール部に前方に突出して装着される商品陳列フックであって、
該レール部に装着される装着部の前面にフック棒を前方に向けて水平に突設したフック本体と、該フック棒の上方に配設され該フック本体の装着部に該フック棒の軸と垂直な軸の周りで回動可能に枢支されたアーム部材と、該アーム部材の先端部に回動可能に取り付けられたカードホルダーと、を備え、
該アーム部材の元部に枢支部が設けられ、該枢支部を介して該アーム部材が上下方向に回動可能に該フック本体の装着部に枢支されたことを特徴とする商品陳列フック。
【請求項２】
前記カードホルダーのホルダー本体の後部に回動支持部が設けられ、該回動支持部と支持軸を介して該カードホルダーが左右に回動可能に軸支されたことを特徴とする請求項１記載の商品陳列フック。
【請求項３】
前記フック本体の装着部は、上部片と下部片を有した略コ字状に形成され、該下部片または該上部片に設けたねじ孔に固定ねじをねじ込み、該固定ねじの先端を該上部片または下部片に押し付けて該上部片と下部片の間隔を開くことにより、該装着部を棚板のレール部に固定することを特徴とする請求項１記載の商品陳列フック。
【発明の詳細な説明】
【０００１】
【発明の属する技術分野】
本発明は、陳列棚の棚板の前部等に対し、前方に突出して装着される棒状の商品陳列フックに関し、特に、フック本体の上部にアーム部材を装着し、アーム部材の先端部にカードホルダーを装着した商品陳列フックに関する。
【０００２】
【従来の技術】
従来、この種の商品陳列フックとして、下記特許文献１において、陳列棚の棚板の前部に取り付けられる取付部を有し、その取付部の前方に突き出すようにフック棒を固定し、そのフック棒の上部に矩形枠状のガード部材が取り付けられ、そのガード部材の前部にプライスカードホルダーを取り付けた構造の商品陳列フックが提案されている。
【０００３】
【特許文献１】
特開２００１−２５２１５３公報
【０００４】
この商品陳列フックは、その取付部を陳列棚の棚板の前部にフック棒を前方に突き出した形態で装着され、そのフック棒に吊り下げ陳列用の商品を引っ掛け、商品を吊り下げるようにして陳列し、上側のガード部材の先端部に装着したカードホルダーには、商品の価格等を記したカードを入れ、それを表示するように使用される。
【０００５】
【発明が解決しようとする課題】
しかし、従来のこの種の商品陳列フックは、フック棒の上部にガード部材が固定されているため、吊り下げる形態で陳列する吊下げ商品を、フック棒に対し差し込み或いはフック棒から抜き出す際、ガード部材が邪魔となって、商品の出し入れがしにくいという問題があった。さらに、ガード部材の先端にカードホルダーが取り付けられており、カードホルダーには商品のプライスカードなどが装着されるが、このカードホルダーは、ガード部材に固定され、その向きを変えることができないという課題があった。
【０００６】
本発明は、上記の点に鑑みてなされたもので、フック棒への商品の差し込みと抜き出しを容易に行うことができ、アーム部材の先端部に取り付けたカードホルダーの向きを、容易に変えることができる商品陳列フックを提供することを目的とする。
【０００７】
【課題を解決するための手段】
上記目的を達成するために、本発明の商品陳列フックは、陳列棚の棚板のレール部に前方に突出して装着される商品陳列フックであって、レール部に装着される装着部の前面にフック棒を前方に向けて水平に突設したフック本体と、フック棒の上方に配設されフック本体の装着部にフック棒の軸と垂直な軸の周りで回動可能に枢支されたアーム部材と、アーム部材の先端部に回動可能に取り付けられたカードホルダーと、を備え、アーム部材の元部に枢支部が設けられ、枢支部を介してアーム部材が上下方向に回動可能にフック本体の装着部に枢支されたことを特徴とする。
【０００８】
ここで、上記カードホルダーのホルダー本体の後部に回動支持部を設け、回動支持部と支持軸を介してカードホルダーを左右に回動可能に軸支することができる。
【０００９】
また、上記フック本体の装着部は、上部片と下部片を有した略コ字状に形成され、下部片または上部片に設けたねじ孔に固定ねじをねじ込み、固定ねじの先端を上部片または下部片に押し付けて上部片と下部片の間隔を開くことにより、装着部を棚板のレール部に固定するように構成することができる。
【００１０】
【作用】
この商品陳列フックは、そのフック本体の後部の装着部を、陳列棚の棚板のレール部に嵌着し、そのフック棒を前方に突出した形態で装着され、フック棒に吊り下げ陳列用の商品を引っ掛け、商品を吊り下げるようにして陳列し、その上側のアーム部材の先端に取り付けたカードホルダーのホルダー本体内に、商品の価格等を記したカードを入れ、それを表示する。
【００１１】
例えば、売り場における顧客の移動動向などから、カードホルダーの表示面の向きを、右または左に変えて表示したい場合、アーム部材の先端部に設けたカードホルダーをその回動支持部の支持軸を軸に左右に回動させ、表示面の向きを調整することができる。
【００１２】
フック本体のフック棒に、吊り下げ商品を吊り下げる場合、カードホルダーとアーム部材を上方に回動させ、その状態で、吊り下げ商品の孔をフック棒の先端から通して吊り下げていく。また、フック棒に吊り下げられた商品を外す場合も、カードホルダーとアーム部材を上方に回動させた状態とすれば、吊り下げ商品をフック棒から簡単に取り外すことができる。
【００１３】
【発明の実施の形態】
以下、本発明の実施の形態を図面に基づいて説明する。図１は、商品陳列フックの斜視図を示し、図２はそのフック本体１の右側面図を示し、図３はその正面図を示している。フック本体１は、陳列棚の棚板前縁部のレール部に装着される装着部５を有し、装着部５は上部片５ａと下部片５ｂを後方に延設し側面視を略コ字状とした形状に形成され、その装着部５の正面側にフック棒４が略水平に正面側に突設される。
【００１４】
フック本体１はポリカーボネートなどの合成樹脂により一体成形され、装着部５の背面側に突き出した上部片５ａと下部片５ｂは、弾性変形して棚板のレール部に装着可能である。そして、その装着状態を固定するために、装着部５の下部片５ｂにねじ孔６が形成され、そのねじ孔６に下側からねじ込んだ固定ねじ１０により、装着部５の上部片５ａと下部片５ｂの間隔を開いて、装着部を棚板のレール部に固定する構造である。
【００１５】
また、下部片５ｂの内側にはねじ孔６にねじ込んだ固定ねじ１０を支持するための支持部７が形成されている。さらに、装着部５の両側部には、後述のアーム部材２の枢支部２２を嵌め込むための嵌合部８が形成される。この嵌合部８は、円形孔を有して形成され、その円形孔の側部にテーパ部８ａが形成され、そのテーパ部８ａからアーム部材２の枢支部２２の凸部２６を円形孔の嵌合部８に嵌入する構造である。
【００１６】
アーム部材２は、その枢支部２２を介してフック本体１に対し上下方向に回動可能に、つまりフック本体１の軸方向と垂直の軸の周りで回動可能に装着される。また、嵌合部８の一部にはアーム部材２の回動角度範囲を所定の角度範囲に制限するための制限部８ｂが突設され、アーム部材２の後部のロッド２３がこの制限部８ｂに当たって回動角度が制限される。
【００１７】
すなわち、アーム部材２は、カードホルダー３をフック本体１の前部上部位置に配置するために、フック本体１の上方に、枢支部２２を介して装着される。アーム部材２は、矩形枠状にその本体が形成され、本体の元部に、図６〜図８に示すような枢支部２２が形成され、枢支部２２には、両側の内側に突き出すように凸部２６が枢軸として設けられる。この両側の凸部２６は上記フック本体１の装着部５の両側の嵌合部８にテーパ部８ａを介して滑らせるように嵌合され、所定の回動範囲で回動可能とされる。枢支部２２の枢軸となる凸部２６の軸方向は、フック本体１のフック棒４の軸方向と垂直関係となり、アーム部材２はフック本体１に対し上下方向に回動可能に支持される。
【００１８】
アーム部材２の先端には少し上方に傾斜した先端部２１が設けられ、その先端部２１上にカードホルダー３を軸支するための支持軸２４が突設される。支持軸２４は、先端大径部を有すると共に、先端部軸方向に浅いスリットを設けて形成され、カードホルダー３の回動支持部３２の孔をその支持軸２４に容易に嵌め込むことができ、且つ抜けを防止するように構成される。そして、カードホルダー３は、この先端部２１の上に前方から被せるように装着され、支持軸２４にカードホルダー３の回動支持部３２の孔が嵌合され、カードホルダー３はこの回動支持部３２を軸に左右に所定の角度範囲で回動可能とされる。
【００１９】
カードホルダー３のホルダー本体３１は、例えば所定の厚さと矩形形状を持った板状に、合成樹脂材料を用いて一体成形され、内部にはカードを挿入するためのカード挿入部が板状空間として形成される。ホルダー本体３１の上部には後方に向けて回動支持部３２が突設され、その回動支持部３２に設けた孔に上記アーム部材２の先端部２１の支持軸２４が嵌合される。
【００２０】
このアーム部材２の先端部２１上には、中央に小突起２５が突設され、一方、回動支持部３２の内側には、カードホルダー３の角度を中央にしたとき、または左右に変えたときにこの小突起２５と嵌合するための複数の孔が設けられる。中央位置を含めて所定の角度にカードホルダー３が回動されたとき、その位置で小突起２５と孔が嵌合して、そのカードホルダー３の角度位置を保持する。
【００２１】
このようなカードホルダー３を先端部に備えたアーム部材２は、図９に示すように、その枢支部２２の両側の凸部２６を、フック本体１の装着部５の両側の嵌合部８にテーパ部８ａからスライドさせるように嵌め込み、装着される。これにより、アーム部材２は図９の如く、フリーの状態でロッド２３が上部片５ａに当たって水平状態で静止し、上方へはロッド２３が制限部８ｂに当たるまで回動することができる。
【００２２】
このような商品陳列フックは、図９に示すように、陳列棚の棚板４０の前縁部のレール部４１に、その装着部５の上部片５ａと下部片５ｂを嵌め込み、下方からねじ孔６にねじ込んだ固定ねじ１０を締め付け、これによって、上部片５ａと下部片５ｂの間隔を開くように操作して、任意の位置に装着・固定される。
【００２３】
そして、カードホルダー３のホルダー本体３１のカード挿入部には、価格、商品名などを記したカードが挿入される。カードホルダー３の向きを左右で変更したい場合、カードホルダー３をその回動支持部３２の支持軸２４の周りで左または右に回動して、左右に角度調整する。カードホルダー３の左右への回動時、回動支持部３２の下面に設けた孔がアーム部材２の先端部上の小突起２５に嵌合して調整した角度に保持することができる。
【００２４】
このように、商品陳列フックのアーム部材２の先端部２１に取り付けたカードホルダー３は、アーム部材２の先端位置でその左右の向きを、陳列棚４０の商品展示状態や顧客の視線等に合わせて左右に振るように簡単に調整することができる。
【００２５】
一方、フック本体１のフック棒４に、吊り下げ商品を吊り下げる場合、カードホルダー３とアーム部材２を上方に回動させ、その状態で、吊り下げ商品の孔をフック棒４の先端から通して吊り下げていく。また、フック棒４に吊り下げられた商品を外す場合も、カードホルダー３とアーム部材２を上方に回動させた状態で、吊り下げ商品をフック棒４から取り外すことができる。
【００２６】
このように、フック棒４の上方に位置するアーム部材２を上方に回動させた状態で、吊り下げ商品の差し込み作業や取り外しを行なうことができ、フック棒４の真上に位置するアーム部材２及びカードホルダー３が邪魔にならずに、商品の差し込みや取り外しを行なうことができる。
【００２７】
【発明の効果】
以上説明したように、本発明の商品陳列フックによれば、フック本体のフック棒に、吊り下げ商品を吊り下げる場合、カードホルダーとアーム部材を上方に回動させた状態で、吊り下げ商品の孔をフック棒の先端から通して差し込むことができ、また、フック棒に吊り下げられた商品を外す場合も、カードホルダーとアーム部材を上方に回動させた状態として、吊り下げ商品をフック棒から取り外すことができるから、真上に位置するカードホルダーやアーム部材が邪魔にならずに、商品を容易にフック棒に差し込むことができ、フック棒から商品を容易に取り外すことができる。また、売り場における顧客の移動動向などから、カードホルダーの表示面の向きを、右または左に変えて表示したい場合、アーム部材の先端部に設けたカードホルダーをその回動支持部の支持軸を軸に左右に回動させ、表示面の向きを調整することができる。
【図面の簡単な説明】
【図１】本発明の一実施形態を示す商品陳列フックの斜視図である。
【図２】同商品陳列フックのフック本体１の右側面図である。
【図３】同フック本体１の正面図である。
【図４】同フック本体１の背面図である。
【図５】同フック本体１の平面図である。
【図６】カードホルダーを取り付けるアーム部材の右側面図である。
【図７】同アーム部材の平面図である。
【図８】同アーム部材の背面図である。
【図９】使用状態を示す右側面図である。
【符号の説明】
１−フック本体
２−アーム部材
３−カードホルダー
４−フック棒
５−装着部
７−支持部
８−嵌合部
２１−先端部
２２‐枢支部
２３‐ロッド
２４‐支持軸
２５−小突起
２６−凸部
【図１】
2004180918.tif 000003
【図２】
2004180918.tif 000004
【図３】
2004180918.tif 000005
【図４】
2004180918.tif 000006
【図５】
2004180918.tif 000007
【図６】
2004180918.tif 000008
【図７】
2004180918.tif 000009
【図８】
2004180918.tif 000010
【図９】
2004180918.tif 000011